(57)【要約】【課題】本発明は、カバー部を本体部に相対して傾斜するようにリバーサルできる電子装置を提供することを目的とする。【解決手段】本発明に係る電子装置は、本体部と、前記本体部上に重ね合せられるカバー部と、前記本体部及び前記カバー部を連結する２つの開閉機構と、を備える。各開閉機構は、１つのリンク部材、１つの第一連結ロッド、１つの第二連結ロッド及び１つの付勢手段から構成される。前記カバー部を前記本体部に対してスライドする時に、前記リンク部材の両端は前記本体部及び前記カバー部に相対的に回転して前記カバー部を前記本体部に対して斜めに支持し、同時に、前記第一連結ロッドと前記第二連結ロッドとは、前記付勢手段に駆動されて相対的に回転して、前記カバー部を前記本体部に対して開放させる。【選択図】図４
2011139426.tif 000002
【特許請求の範囲】
【請求項１】
本体部と、
前記本体部上に重ね合せられるカバー部と、
前記本体部及び前記カバー部を連結する２つの開閉機構と、
を備えてなる電子装置であって、
各開閉機構は、１つのリンク部材、１つの第一連結ロッド、１つの第二連結ロッド及び１つの付勢手段から構成され、
前記リンク部材の両端は、別々に前記本体部及び前記カバー部に連結され、
前記第一連結ロッドの一端及び前記第二連結ロッドの一端は、別々に前記本体部及び前記カバー部に連結され、前記第一連結ロッドの他端及び前記第二連結ロッドの他端は、別々に前記付勢手段の両端に固定され、
前記カバー部を前記本体部に対してスライドする時に、前記リンク部材の両端は前記本体部及び前記カバー部に相対的に回転して前記カバー部を前記本体部に対して斜めに支持し、同時に、
前記第一連結ロッドと前記第二連結ロッドとは、前記付勢手段に駆動されて相対的に回転して、前記カバー部を前記本体部に対して開放させることを特徴とする電子装置。
【請求項２】
前記付勢手段はトーションバネであって、コイル状部及び前記コイル状部の両端から延伸する２つの連結部を備え、
前記２つの連結部は、それぞれ前記第一連結ロッド及び前記第二連結ロッドの一端に固定されることを特徴とする請求項１に記載の電子装置。
【請求項３】
前記第一連結ロッドと第二連結ロッドとは、相対的に開閉できるように前記付勢手段に固定され、
前記電子装置は開成状態になると、前記第一連結ロッドと第二連結ロッドとの間に鈍角が形成されることを特徴とする請求項２に記載の電子装置。
【請求項４】
前記本体部の短手方向の両側には、それぞれ第一収容凹所が対称的に設けられ、
前記カバー部の短手方向の両側には、それぞれ第二収容凹所が対称的に設けられ、
前記第一連結ロッドの一端は前記第一収容凹所内に回転可能に装着され、前記第二連結ロッドの一端は前記第二収容凹所内に回転可能に装着されることを特徴とする請求項１に記載の電子装置。
【請求項５】
前記本体部の上面には少なくとも１つの第一磁石が設置されており、前記カバー部の下面には前記第一磁石に対応する第二磁石が設置されており、
前記第一磁石と第二磁石の極性は相反していることを特徴とする請求項１に記載の電子装置。
【請求項６】
各リンク部材の両端にはそれぞれ軸穴が設けられ、前記第一収容凹所内と第二収容凹所内にはそれぞれ１つの固定軸及び１つの位置決め軸が設置され、
前記固定軸及び前記位置決め軸を別々に前記リンク部材の両端の軸穴に貫通させることにより、前記リンク部材の両端をそれぞれ前記第一収容凹所内と第二収容凹所内に回転可能に装着することを特徴とする請求項４に記載の電子装置。
【発明の詳細な説明】
【技術分野】
【０００１】
本発明は、電子装置に関し、特にカバー部が本体部に対して短手方向にスライドするとともに斜めに開けられる電子装置に関するものである。
【背景技術】
【０００２】
現在市販されている電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿ってスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
最近、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明は、カバー部が本体部に対して短手方向にスライドするとともに斜めに開けられる電子装置を提供することを目的とする。
【課題を解決するための手段】
【０００６】
前記問題を解決するために、本発明に係る電子装置は、本体部と、前記本体部上に重ね合せられるカバー部と、前記本体部及び前記カバー部を連結する２つの開閉機構と、を備えてなる。各開閉機構は、１つのリンク部材、１つの第一連結ロッド、１つの第二連結ロッド及び１つの付勢手段から構成される。前記リンク部材の両端は、別々に前記本体部及び前記カバー部に連結される。前記第一連結ロッドの一端及び前記第二連結ロッドの一端は、別々に前記本体部及び前記カバー部に連結され、前記第一連結ロッドの他端及び前記第二連結ロッドの他端は、別々に前記付勢手段の両端に固定される。前記カバー部を前記本体部に対してスライドする時に、前記リンク部材の両端は前記本体部及び前記カバー部に相対的に回転して前記カバー部を前記本体部に対して斜めに支持し、同時に、前記第一連結ロッドと前記第二連結ロッドとは、前記付勢手段に駆動されて相対的に回転して、前記カバー部を前記本体部に対して開放させる。
【発明の効果】
【０００７】
従来の技術に比べて、本発明の電子装置の開閉機構は、リンク部材、第一連結ロッド、第二連結ロッド及び両者を連接する付勢手段から構成する。前記第一連結ロッド及び第二連結ロッドは、前記付勢手段の弾性トルクによって相対して回転しながら展開して、前記カバー部を前記本体部１０に対して短手方向にスライドさせるとともに斜めに開かせる。従って、本発明の電子装置を卓上に載置しても、ユーザーは表示された情報を閲覧し易く、最もよい視覚効果が得られる。しかも、前記電子装置は、従来のスライドタイプの電子装置とは異なる開閉機構を備えることから、デザイン性に富む。
【図面の簡単な説明】
【０００８】
【図１】本発明の実施形態に係る電子装置の立体分解図である。
【図２】図１に示す電子装置を別の視角から見た立体分解図である。
【図３】図１に示す電子装置の第一連結ロッド、第二連結ロッド及び付勢手段の拡大図である。
【図４】図１に示す電子装置が組み立てられた後の開いた状態での立体図である。
【図５】図４に示す電子装置を別の視角から見た立体図である。
【図６】図５に示す電子装置が閉じられた状態での立体図である。
【発明を実施するための形態】
【０００９】
以下、図面を参照しながら、本発明の実施形態に係る電子装置について詳細に説明する。
【００１０】
図１に示したように、本発明の実施形態に係る電子装置１００は、本体部１０と、カバー部２０と、２つのリンク部材３０と、２つの第一連結ロッド４０と、２つの第二連結ロッド５０と、２つの付勢手段６０と、複数の固定軸８０と、複数の位置決め軸９０と、を備える。前記本体部１０は、略矩形を呈し、前記本体部１０の前記カバー部２０と対面する上面において、四隅に隣接してそれぞれ１つの第一磁石１０４が設置されており、前記本体部１０の短手方向の両側（短手方向における左右両側）には、それぞれ前記本体部１０の長手方向に直交する方向に沿って延在する第一収容凹所１０６が対称的に設けられている。各第一収容凹所１０６の長手方向の片側には、２つの固定軸８０が互いに離間して設置され、且つ前記２つの固定軸８０を前記第一収容凹所１０６から取り外すことができる。前記２つの固定軸８０の両端は、それぞれ前記第一収容凹所１０６の長手方向の２つの側壁に至るように設置される。前記第一収容凹所１０６の端部に近い固定軸８０と前記第一収容凹所１０６の底面との間の距離は、前記第一収容凹所１０６の端部から離れている固定軸８０と前記第一収容凹所１０６の底面との間の距離よりやや大きい。前記カバー部２０の形状は前記本体部１０の形状とほぼ一致し、相対向して設置される第一表面２０２及び第二表面２０３を含む。前記第一表面２０２には、前記電子装置１００が表示された情報や画面などを表示するための表示パネル２０４が設置されている。
【００１１】
図２に示したように、前記カバー部２０の前記本体部１０に対面する第二表面２０３において、四隅に隣接して前記本体部１０の四つの第一磁石１０４にそれぞれ対応する四つの第二磁石２０６が設置されており、前記カバー部２０の短手方向の両側には、それぞれ前記カバー部２０の長手方向に直交する方向に沿って延在する第二収容凹所２０８が対称的に設けられている。前記第一磁石１０４と第二磁石２０６との極性が相反するから、前記電子装置１００を閉じた後、前記第一磁石１０４と前記第二磁石２０６とが互いに吸引して、前記カバー部２０を前記本体部１０に確実に固定する。各第二収容凹所２０８の長手方向の片側には２つの位置決め軸９０が互いに離間して設置され、且つ前記２つの位置決め軸９０を前記第二収容凹所２０８から取り外すことができる。前記２つの位置決め軸９０の両端は、それぞれ前記第二収容凹所２０８の長手方向の２つの側壁に至るように設置される。前記２つの位置決め軸９０の両端は、それぞれ前記第二収容凹所２０８の長手方向の２つの側壁に至るように設置される。前記第二収容凹所２０８の端部に近い位置決め軸９０と前記第二収容凹所２０８の底面との間の距離は、前記第二収容凹所２０８の端部から離れている位置決め軸９０と前記第二収容凹所２０８の底面との間の距離よりやや大きい。
【００１２】
前記リンク部材３０の両端にはそれぞれ１つの軸穴３０２が設けられている。前記リンク部材３０の一端は前記第一収容凹所１０６の端部に近い前記固定軸８０に回転可能に連結され、前記リンク部材３０の他端は前記第二収容凹所２０８の端部に近い前記位置決め軸９０に回転可能に連結される。
【００１３】
図３を一緒に参照すると、前記第一連結ロッド４０の構造と前記第二連結ロッド５０の構造とは同じであり、両者の長さは共に、前記リンク部材３０の長さより短い。各第一連結ロッド４０の一端にはそれぞれ１つの軸穴４０２が設けられており、各第一連結ロッド４０の他端のアーチ状の側壁にはそれぞれ１つの固定穴４０４が設けられており、各第二連結ロッド５０の一端にはそれぞれ１つの軸穴５０２が設けられており、各第二連結ロッド５０の他端のアーチ状の側壁にはそれぞれ１つの固定穴５０４が設けられる。前記第一収容凹所１０６の端部から離れている前記固定軸８０を前記第一連結ロッド４０の一端の軸穴４０２に貫通させ、且つ前記第二収容凹所２０８の端部から離れている前記位置決め軸９０を前記第二連結ロッド５０の一端の軸穴５０２に貫通させて、前記第一連結ロッド４０及び前記第二連結ロッド５０を別々に前記本体部１０及び前記カバー部２０上に回転可能に連結する。
【００１４】
各付勢手段６０はトーションバネであり、コイル状部６０２と、前記コイル状部６０２の両端から延在する２つの連結部６０４と、を含む。外力を印加しない場合、前記２つの連結部６０４は鈍角を形成する。前記連結部６０４を別々に前記固定穴４０４、５０４に固定することにより、前記第一連結ロッド４０と前記第二連結ロッド５０とを互いに連接することができる。前記第一連結ロッド４０又は前記第二連結ロッド５０に外力を加えると、前記第一連結ロッド４０と前記第二連結ロッド５０とは相対して回転するとともに前記付勢手段６０を圧縮する。外力を除去すると、前記第一連結ロッド４０及び前記第二連結ロッド５０は、前記付勢手段６０のトルクに作用されて、イニシャル状態に復帰する。
【００１５】
図４、図５及び図６に示したように、前記電子装置１００を組み立てる場合、まず、前記２つの固定軸８０をそれぞれ前記第一収容凹所１０６から取り出し、且つ前記２つの位置決め軸９０をそれぞれ前記第二収容凹所２０８から取り外す。次に、前記リンク部材３０の一端の軸穴３０２に前記第一収容凹所１０６の端部に近い前記固定軸８０を貫通させて設置し、前記リンク部材３０の他端の軸穴３０２に前記第二収容凹所２０８の端部に近い前記位置決め軸９０を貫通させて設置する。次に、前記付勢手段６０の２つの連結部６０４を別々に前記第一連結ロッド４０の固定穴４０４及び前記第二連結ロッド５０の固定穴５０４に固定する。この場合、前記第一連結ロッド４０と第二連結ロッド５０とが一体に連結され且つ両者は鈍角を形成する。次に、前記第一連結ロッド４０の軸穴４０２に前記第一収容凹所１０６の端部から離れている前記固定軸８０を貫通させて設置し、前記第二連結ロッド５０の一端の軸穴５０２に前記第二収容凹所２０８の端部から離れている前記位置決め軸９０を貫通させて設置する。最後に、前記２つの固定軸８０を前記第一収容凹所１０６に設置し、前記２つの位置決め軸９０を前記第二収容凹所２０８に設置して、前記電子装置１００を一体的に組み立てる。この場合、前記リンク部材３０と一体に連結された前記第一連結ロッド４０及び前記第二連結ロッド５０とは略交差した状態で前記カバー部２０を支持している。前記カバー部２０は、前記リンク部材３０、前記第一連結ロッド４０、前記第二連結ロッド５０及び前記付勢手段６０により前記本体部１０に対して斜めに開けられる。
【００１６】
前記電子装置１００を閉じる場合、前記カバー部２０の前記本体部１０に接触していない上端を下へ押圧すると、前記第一連結ロッド４０は前記カバー部２０に押圧されて前記第二ロッド部５０に向って回転するとともに前記付勢手段６０を圧縮するため、前記第一連結ロッド４０と前記第二連結ロッド５０との間の夾角はだんだん小さくなる。同時に、前記第一連結ロッド４０及び前記第二連結ロッド５０の自由端は、別々に前記固定軸８０及び前記位置きめ軸９０に対して回転し、前記リンク部材３０の両端も別々に前記固定軸８０及び前記位置決め軸９０に対して回転する。前記カバー部２０が外力により前記本体部１０に重なると、前記第一連結ロッド４０と第二連結ロッド５０とは互いに当止し、且つ前記リンク部材３０と一緒に前記第一収容凹所１０６と前記第二収容凹所２０８とが共同で構成する収容空間内に収納される。この場合、前記付勢手段６０は圧縮されて弾性力を蓄積する。前記第二磁石２０６と前記第一磁石１０４は互いに吸引して前記カバー部２０を前記本体部１０に安定して固定させる。
【００１７】
前記電子装置１００を開ける場合、前記第二磁石２０６と前記第一磁石１０４との磁力を克服しながら、前記カバー部２０を前記本体部１０の短手方向に沿って押すと、前記第一連結ロッド４０及び前記第二連結ロッド５０は、前記付勢手段６０の弾性トルクにより相対的に伸展し、その間の夾角も徐々に増大するとともに、前記カバー部２０を上へ突き上げて前記本体部１０に対して傾斜するように回転させる。前記２つのリンク部材３０は、前記カバー部２０に連動されて、その両端はそれぞれ前記固定軸８０に対して回転する。前記カバー部２０が前記本体部１０に対して完全に開かれて位置決められた後、前記リンク部材３０も前記本体部１０に対して傾斜するように立ち上がって、前記カバー部２０を支持している。
【００１８】
本発明によれば、前記電子装置１００の開閉機構は、リンク部材３０、第一連結ロッド４０、第二連結ロッド５０及び両者を連接する付勢手段６０から構成する。前記第一連結ロッド４０及び第二連結ロッド５０は前記付勢手段６０の弾性トルクによって相対して回転しながら展開して、前記カバー部２０を前記本体部１０に対して短手方向にスライドするとともに斜めに開かせる。従って、前記電子装置１００を卓上に載置しても、ユーザーは前記カバー部２０の表示パネルに表示された情報を閲覧し易く、最もよい視覚効果が得られる。しかも、前記電子装置１００は、従来のスライドタイプの電子装置とは異なる開閉機構を備えることから、デザイン性に富む。
【００１９】
また、前記リンク部材３０を省略してもよい。前記第一連結ロッド４０、第二連結ロッド５０及び両者を連接する付勢手段６０だけで前記本体部１０に対する前記カバー部２０の開閉を実現することができる。
【００２０】
また、前記電子装置１００が閉じられた場合、前記カバー部２０を前記本体部１０に安定して固定するために、前記本体部１０及び前記カバー部２０に互いに係合する係合機構を設けて、前記第一磁石１０４及び前記第二磁石２０６を省略することができる。
【００２１】
また、本発明の開閉機構は、１つのリンク部材３０、１つの第一連結ロッド４０、１つの第二連結ロッド５０及び１つの付勢手段６０から１つの開閉機構を構成するから、本発明の電子装置１００は２つの開閉機構を備える。
【００２２】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれることは言うまでもない。
【符号の説明】
【００２３】
１０      本体部
２０      カバー部
３０      リンク部材
４０      第一連結ロッド
５０      第二連結ロッド
６０      付勢手段
８０      固定軸
９０      位置決め軸
１００    電子装置
１０４    第一磁石
１０６    第一収容凹所
１４２    第一連結軸
２０２    第一表面
２０３    第二表面
２０６    第二磁石
２０８    第二収容凹所
３０２    軸穴
４０２    軸穴
４０４    固定穴
５０２    軸穴
５０４    固定穴
６０２    コイル状部
６０４    連結部
【図１】
2011139426.tif 000003
【図２】
2011139426.tif 000004
【図３】
2011139426.tif 000005
【図４】
2011139426.tif 000006
【図５】
2011139426.tif 000007
【図６】
2011139426.tif 000008